(57)【特許請求の範囲】
【請求項１】
液体の噴射に伴って生じたミストを吸引して回収するミスト回収装置であって、
外気を吸引するための吸気部が下方に向けて延設された排気ダクトを備え、
前記吸気部には上下方向に延びる吸気孔が形成されているとともに、前記排気ダクト内
に連通する前記吸気部の上端部が前記排気ダクトの内底部から環状に突設されていること
を特徴とするミスト回収装置。
【請求項２】
前記吸気孔は、開口面積が下端側から上端側に向けて小さくなるテーパ形状をなすように
形成されることを特徴とする請求項１に記載のミスト回収装置。
【請求項３】
前記吸気部に撥液処理が施されていることを特徴とする請求項１又は請求項２に記載のミ
スト回収装置。
【請求項４】
前記排気ダクト内の気体を排気する排気ファンをさらに備え、
前記排気ファンは前記排気ダクトの水平方向における一端側に設けられる一方、前記吸
気部は前記排気ダクトの水平方向における他端側において前記排気ダクトの底部から下方
に延設されることを特徴とする請求項１〜請求項３のうち何れか一項に記載のミスト回収
装置。
【請求項５】
前記排気ファンの制御を行う制御手段をさらに備え、
前記制御手段は、液体の噴射が終了したときに、液体が噴射されているときよりも回転
数を上げて前記排気ファンを駆動させた後に、該排気ファンの駆動を停止させることを特
徴とする請求項４に記載のミスト回収装置。
【請求項６】
媒体に対して液体を噴射するノズルを有する液体噴射ヘッドと、
請求項１〜請求項５のうち何れか一項に記載のミスト回収装置と、を備えることを特徴
とする液体噴射装置。
【請求項７】
前記媒体は搬送方向に沿って搬送されるとともに、前記液体噴射ヘッドは前記媒体の搬送
経路の上方に配置され、
前記排気ダクトは前記搬送方向において前記液体噴射ヘッドの下流側に配置されるとと
もに、前記吸気部は前記媒体側に向けて延設されていることを特徴とする請求項６に記載
の液体噴射装置。
【請求項８】
前記排気ダクトは前記媒体の搬送経路の上方に配置され、
前記吸気部の下端部は前記搬送方向における上流側よりも下流側の方が前記媒体に近接
する位置まで延設されていることを特徴とする請求項７に記載の液体噴射装置。
【請求項９】
請求項５に記載のミスト回収装置の制御方法であって、
前記液体の噴射時に、前記排気ファンを駆動させてミストを含む外気を前記排気ダクト
内に吸引させるミスト回収ステップと、
前記液体の噴射が終了したときに、前記液体の噴射時よりも回転数を上げて前記排気フ
ァンを駆動させて、前記吸気部に付着した液体を前記排気ダクト内に回収させる液体回収
ステップと、
該液体回収ステップの後に、前記排気ファンの駆動を停止させる停止ステップと、を備
えることを特徴とするミスト回収装置の制御方法。
【発明の詳細な説明】
【技術分野】
【０００１】
本発明は、ミスト回収装置、液体噴射装置及びミスト回収装置の制御方法に関する。
【背景技術】
【０００２】
従来、媒体に対して液体を噴射する液体噴射装置として、インクジェット式プリンター
が広く知られている。こうしたプリンターのうちには、搬送される用紙（媒体）に対して
、液体噴射ヘッドに設けられたノズルからインク（液体）を噴射することで印刷処理を施
すものがあった（例えば、特許文献１）。
【０００３】
そして、特許文献１のプリンターにおいては、インクを噴射した際に生じるミストを回
収するために、排気ダクトと排気ファンとを備えていた。
【先行技術文献】
【特許文献】
【０００４】
【特許文献１】特開２００５−２７１３１６号公報
【発明の概要】
【発明が解決しようとする課題】
【０００５】
ところで、特許文献１のプリンターは、排気ダクトの内壁に付着したミストが液滴とな
ってたれ落ち、用紙を汚染してしまうのを抑制するために、液滴を受け止めるための可動
式のキャップと、排気ダクト内を払拭するワイパーとを設けていた。
【０００６】
しかし、こうしたキャップやワイパーを設けると構成が複雑になる上、液だれを予防す
るために排気ダクト内を頻繁に払拭しなければならず、メンテナンスに手間がかかってし
まうという問題があった。そのため、排気ダクトからの液だれを抑制しつつミストを回収
することが望まれていた。
【０００７】
本発明は、上記課題を解決するためになされたものであり、その目的は、排気ダクトか
らの液だれを抑制することができるミスト回収装置、液体噴射装置及びミスト回収装置の
制御方法を提供することにある。
【課題を解決するための手段】
【０００８】
上記目的を達成するために、本発明のミスト回収装置は、液体の噴射に伴って生じたミ
ストを吸引して回収するミスト回収装置であって、外気を吸引するための吸気部が下方に
向けて延設された排気ダクトを備え、前記吸気部には上下方向に延びる吸気孔が形成され
ているとともに、前記排気ダクト内に連通する前記吸気部の上端部が前記排気ダクトの内
底部から環状に突設されている。
【０００９】
この構成によれば、液体の噴射に伴って生じたミストを吸気部を介して排気ダクト内に
回収することができる。このとき、吸気部に形成された吸気孔は上下方向に延びる態様と
なっているので、排気ダクト内に吸引される気体の流れを乱したり妨げたりすることがな
い。すなわち、吸気孔が屈曲していたり段差があったりすると、そこに気体がぶつかって
液滴が付着してしまうが、吸気孔内で気流の流れを乱さないようにすることで、液だれを
招く液滴の付着を抑制することができる。そして、排気ダクトは、吸気部を通じて外気と
連通するが、その吸気部の上端部が排気ダクトの内底部から環状に突設されているので、
排気ダクト内に回収された液体は、吸気部の上端部によって排気ダクト内からたれ落ちな
いようにせき止められる。これにより、回収した液体を排気ダクトの内底部に集積して容
易に排出することができるとともに、排気ダクトからの液だれを抑制することができる。
【００１０】
本発明のミスト回収装置において、前記吸気孔は、開口面積が下端側から上端側に向け
て小さくなるテーパ形状をなすように形成される。
この構成によれば、吸気部に形成される吸気孔は開口面積が下端側から上端側に向けて
小さくなるテーパ形状をなすので、吸気孔内を流れる気流の風速は、下端側から上端側に
いくにつれて速くなる。そして、吸気部に付着した液滴は、気流によって上方に押し上げ
られる過程で合体して大きくなるが、上端側ほど風速が速いので、大きくなった液滴を落
下させることなく排気ダクト内に回収することができる。
【００１１】
本発明のミスト回収装置は、前記吸気部に撥液処理が施されている。
この構成によれば、吸気部に撥液処理が施されているので、付着した液体の移動を促し
、効率よく排気ダクト内に回収することができる。
【００１２】
本発明のミスト回収装置は、前記排気ダクト内の気体を排気する排気ファンをさらに備
え、前記排気ファンは前記排気ダクトの水平方向における一端側に設けられる一方、前記
吸気部は前記排気ダクトの水平方向における他端側において前記排気ダクトの底部から下
方に延設される。
【００１３】
この構成によれば、吸気部は排気ダクトの底部から下方に延設されるが、排気ファンは
排気ダクトの水平方向における一端側に設けられるので、吸気部を通じて排気ダクト内に
回収されたミストは水平方向に運ばれる。したがって、排気ダクトに対して吸気部を短く
することで、液だれを抑制することが可能になる。
【００１４】
本発明のミスト回収装置は、前記排気ファンの制御を行う制御手段をさらに備え、前記
制御手段は、液体の噴射が終了したときに、液体が噴射されているときよりも回転数を上
げて前記排気ファンを駆動させた後に、該排気ファンの駆動を停止させる。
【００１５】
この構成によれば、液体の噴射時よりも回転数を上げて排気ファンを駆動させることで
、吸気部に付着した液体を排気ダクト内に回収することができる。これにより、排気ファ
ンの駆動が停止されている間の液だれを抑制することができる。一方、液体の噴射時には
、液体がたれ落ちない程度に排気ファンの回転数を低く抑えることができる。
【００１６】
上記目的を達成するために、本発明の液体噴射装置は、媒体に対して液体を噴射するノ
ズルを有する液体噴射ヘッドと、上記ミスト回収装置と、を備える。
この構成によれば、液体の噴射に伴って生じたミストを、ミスト回収装置によって回収
することができる。そして、ミスト回収装置において排気ダクトからの液だれを抑制する
ことで、たれ落ちた液体による媒体の汚染を抑制することができる。
【００１７】
本発明の液体噴射装置において、前記媒体は搬送方向に沿って搬送されるとともに、前
記液体噴射ヘッドは前記媒体の搬送経路の上方に配置され、前記排気ダクトは前記搬送方
向において前記液体噴射ヘッドの下流側に配置されるとともに、前記吸気部は前記媒体側
に向けて延設されている。
【００１８】
この構成によれば、媒体は搬送方向に沿って搬送されるので、媒体の搬送に伴って搬送
方向が流れ方向となる気流が生じる。また、液体噴射ヘッドは媒体の搬送経路の上方に配
置されるので、液体の噴射に伴って生じたミストは気流にのって搬送方向の下流側に運ば
れる。そして、排気ダクトは液体噴射ヘッドの搬送方向における下流側に配置されるので
、気流にのって搬送方向に流れるミストを効率よく回収することができる。また、吸気部
をノズルの近傍まで延設すると噴射された液体の飛翔方向を乱してしまう虞があるが、吸
気部は媒体側に向けて延設されているので、液体の飛翔方向を乱すことなくミストを回収
することができる。
【００１９】
本発明のミスト回収装置において、前記排気ダクトは前記媒体の搬送経路の上方に配置
され、前記吸気部の下端部は前記搬送方向における上流側よりも下流側の方が前記媒体に
近接する位置まで延設されている。
【００２０】
この構成によれば、吸気部の下端部は、搬送方向における下流側が媒体に近接する位置
まで延設されているので、延設された部分で気流の流れ方向を変化させ、気流に含まれる
ミストを、吸気部を通じて排気ダクト内に効率よく回収することができる。
【００２１】
上記目的を達成するために、本発明のミスト回収装置の制御方法は、前記液体の噴射時
に、前記排気ファンを駆動させてミストを含む外気を前記排気ダクト内に吸引させるミス
ト回収ステップと、前記液体の噴射が終了したときに、前記液体の噴射時よりも回転数を
上げて前記排気ファンを駆動させて、前記吸気部に付着した液体を前記排気ダクト内に回
収させる液体回収ステップと、該液体回収ステップの後に、前記排気ファンの駆動を停止
させる停止ステップと、を備える。
【００２２】
この構成によれば、液体の噴射時には、排気ファンの駆動によって液体の噴射に伴って
生じたミストを吸引することができる。また、液体の噴射が終了したときに、液体の噴射
時よりも回転数を上げて排気ファンを駆動させるので、吸気部に付着した液体を排気ダク
ト内に回収することができる。したがって、ミストが発生する液体の噴射時だけでなく、
液体の噴射及び吸引を停止した後にも、排気ダクトからの液だれを抑制することができる
。
【図面の簡単な説明】
【００２３】
【図１】実施形態のプリンターの概略構成を示す断面図。
【図２】図１におけるＡ―Ａ矢視断面図。
【図３】実施形態のプリンターの電気的構成を示すブロック図。
【図４】ミストの回収を実行させる際の処理を示すフロー図。
【発明を実施するための形態】
【００２４】
以下、本発明を液体噴射装置の一種であるインクジェット式プリンター（以下、単に「
プリンター」と表記する）に具体化した実施形態について説明する。なお、本明細書及び
図面において、矢印Ｘ方向を左方、−Ｘ方向を右方、矢印Ｙ方向を後方、−Ｙ方向を前方
、 矢印Ｚ方向を重力方向となる下方、−Ｚ方向を上方とする。また、Ｘ方向及び−Ｘ方
向を含めて左右方向又はＸ軸方向といい、Ｙ方向及び−Ｙ方向を含めて前後方向又はＹ軸
方向といい、Ｚ方向及び−Ｚ方向を含めて上下方向又はＺ軸方向という。さらに、図面に
おいて、「○」の中に「×」が記載された矢印は、紙面の表から裏に向かう方向を示す。
【００２５】
図１に示すように、プリンター１１は、液体としてのインクを噴射する液体噴射ヘッド
１２と、インクの噴射に伴って生じたミストを吸引して回収するミスト回収装置１３と、
図示しない搬送装置とを備えている。搬送装置は、媒体としての用紙Ｐを搬送方向Ｘに搬
送するもので、例えば用紙Ｐを挟持しつつ搬送する搬送ローラー対や用紙Ｐを吸着しつつ
搬送する搬送ベルトなどを採用することができる。
【００２６】
液体噴射ヘッド１２は、用紙Ｐの搬送経路に沿って所定の間隔を有して複数（本実施形
態では４つ）配置されている。なお、液体噴射ヘッド１２の数は任意に変更することがで
きる。また、各液体噴射ヘッド１２には、インクの噴射口を形成するノズル１４が設けら
れている。
【００２７】
各液体噴射ヘッド１２は、用紙Ｐの搬送経路の上方に配置される。そして、用紙Ｐは搬
送方向Ｘに搬送されつつ、その上面側に各液体噴射ヘッド１２から噴射されたインクを受
容することで、印刷（記録）処理が施される。
【００２８】
図２に示すように、ノズル１４は、用紙Ｐの幅方向となるＹ軸方向に沿って、用紙Ｐの
全幅をカバーするように複数設けられる。また、Ｙ軸方向に並ぶ各ノズル１４は、同一の
インクを噴射するノズル列Ｎを形成している。すなわち、プリンター１１は、液体噴射ヘ
ッド１２が移動することなく、用紙Ｐの全幅に亘る印刷を行うことが可能なラインヘッド
式プリンターである。
【００２９】
ミスト回収装置１３は各液体噴射ヘッド１２の搬送方向Ｘにおける下流側に配置される
。また、ミスト回収装置１３は、排気ダクト１５と、排気ダクト１５に設けられた外気を
吸引するための吸気部１６と、排気ダクト１５内の気体を排気するための排気ファン１７
と、フィルター１８とを有する。
【００３０】
排気ダクト１５は略水平方向となるＹ軸方向に延びるとともに、用紙Ｐの搬送経路の上
方に配置される。排気ファン１７は、排気ダクト１５のＹ軸方向における一端側（後端側
）に設けられている。
【００３１】
排気ファン１７が回転することで、排気ダクト１５内には排気方向Ｙに流れる気流Ｆｏ
が生じる。また、フィルター１８は、排気方向Ｙにおいて排気ファン１７の上流側に配置
されるとともに、ミストなどの浮遊物質を気流Ｆｏから分離する。
【００３２】
吸気部１６は、排気ダクト１５のＹ軸方向における他端側（前端側）において、排気ダ
クト１５の底部から用紙Ｐの上面側に向けて、下方に延設されている。また、吸気部１６
には、上下方向に延びる吸気孔１９が形成されている。なお、吸気部１６及び吸気孔１９
は、Ｙ軸方向においてノズル列Ｎに対応する長さを有している。
【００３３】
図１に示すように、吸気部１６は、排気ダクト１５の底部に孔を設け、この孔に上端部
が貫入されることで排気ダクト１５と接続されている。そして、吸気部１６の上端部は、
排気ダクト１５の内底部から吸気孔１９を囲むように環状に突設されることで、突設部２
０を形成している。また、吸気部１６のＺ軸方向（上下方向）における長さは、排気ダク
ト１５のＹ軸方向における長さよりも短くなっている。
【００３４】
吸気孔１９は、開口面積が下端側から上端側に向けて小さくなるテーパ形状をなすよう
に形成されている。なお、吸気孔１９を形成する吸気部１６の内壁側には、撥液処理が施
されている。また、吸気部１６の下端部は、搬送方向Ｘにおける上流側よりも下流側の方
が用紙Ｐに近接する位置まで延設されている。
【００３５】
次に、プリンター１１の電気的構成について説明する。
図３に示すように、プリンター１１は、制御手段としての制御装置５０を備えている。
制御装置５０は、ＣＰＵ５１、ＲＡＭ５２、ＲＯＭ５３、ヘッド駆動回路５４及びタイマ
ー５５を有している。
【００３６】
ＲＯＭ５３には、ＣＰＵ５１により実行される制御プログラムや、この制御プログラム
の実行に際して参照される閾値のデータ等が記憶されている。また、ＲＡＭ５２には、Ｃ
ＰＵ５１の演算結果や制御プログラムを実行して処理する各種データなどが一時的に記憶
される。
【００３７】
制御装置５０は、ヘッド駆動回路５４を介して液体噴射ヘッド１２によるインクの噴射
動作を制御する。また、制御装置５０は、排気ファン１７の制御を行う。排気ファン１７
は、制御装置５０の制御によって回転数を変化させることができるようになっている。な
お、制御装置５０やＣＰＵ５１などは、その制御内容に応じて複数個設けてもよく、例え
ばミスト回収装置１３の制御のみを行う制御装置を備えるようにしてもよい。
【００３８】
次に、プリンター１１の作用について説明する。
図１に示すように、プリンター１１においては、用紙Ｐの搬送に伴って、搬送方向Ｘが
流れ方向となる気流Ｆｍ（搬送気流）が生じる。また、各液体噴射ヘッド１２からのイン
クの噴射に伴って各ノズル１４の周辺にインクのミストが発生すると、そのミストは気流
Ｆｍにのって搬送方向Ｘの下流側に向けて運ばれる。
【００３９】
こうしたミストが下流側に位置する液体噴射ヘッド１２などに付着すると、汚染が生じ
てしまう。そこで、プリンター１１では、ミスト回収装置１３によってインクの噴射に伴
って発生するミストを回収するようにしている。
【００４０】
具体的には、排気ファン１７を駆動して排気ダクト１５内に気流Ｆｏを発生させるとと
もに、気流Ｆｏによって吸気孔１９を上方に流れる気流Ｆｉを発生させる。そして、気流
Ｆｉによって気流Ｆｍを吸気孔１９内に吸引することで、気流Ｆｍに含まれるミストを排
気ダクト１５内に回収する。
【００４１】
ここで、吸気孔１９はテーパ形状をなしているので、気流Ｆｉは上方に流れるにつれて
流速が増す。また、吸気部１６に撥液処理が施されているので、インクが付着すると液滴
となる。なお、吸気部１６は、撥液処理によってインクとの接触角を４０度以上にするの
が好ましい。そして、吸気部１６に付着した液滴は気流Ｆｉによって上方に運ばれつつ、
互いに合体してより大きな液滴となる。このとき、流速を増した気流Ｆｉによって、自重
が増した液滴の落下を抑制し、排気ダクト１５内に回収する。
【００４２】
そして、排気ダクト１５内に回収されたインクは自重によって排気ダクト１５の内底部
にたまるが、突設部２０によってせき止められるので、たまった液滴は吸気孔１９を通じ
て用紙Ｐの上に落下することなく、排気ダクト１５内に保持される。また、排気ダクト１
５の内底部にたまった液滴は、排気ダクト１５の後端側（排気方向Ｙにおける下流側）の
開口を通じて排出される。なお、排気ダクト１５の内底部にたまったインクを排出しやす
くなるように、排気ダクト１５又はその内底部を前側から後側に向けて下方に傾斜させて
もよい。
【００４３】
なお、プリンター１１において、用紙Ｐに対する印刷を行っているときにミスト回収装
置１３が強く吸引しすぎると、用紙Ｐに対するインク滴の飛翔方向を乱す虞があるので好
ましくない。そこで、制御装置５０は、用紙Ｐに対する印刷時には、吸気部１６からイン
ク滴がたれ落ちない程度に回転数を抑えて排気ファン１７を駆動させる。
【００４４】
ただし、この状態で印刷が終了し、排気ファン１７を停止すると、吸気部１６に付着し
たインクが自重によって用紙Ｐやその搬送経路上にたれ落ちる虞がある。そのため、制御
装置５０は、液体噴射ヘッド１２によるインクの噴射が終了したときに、液体噴射ヘッド
１２がインクを噴射しているときよりも回転数を上げて排気ファン１７を駆動させた後に
、排気ファン１７の駆動を停止させる。すなわち、印刷が終了した後であれば強い吸引を
行っても印刷品質を低下させることがないので、印刷時よりも強い吸引力で吸引を行うこ
とで、吸気部１６に付着したインク滴を排気ダクト１５内に回収する。
【００４５】
次に、プリンター１１において、制御装置５０がミスト回収装置１３によるミストの回
収を実行させる際の処理について説明する。
図４に示すように、制御装置５０は、図示しないホストコンピューター等からの印刷指
令を受信すると、ステップＳ１１として排気ファン１７の駆動を開始させる。また、続く
ステップＳ１２として、制御装置５０は液体噴射ヘッド１２を制御して印刷を開始させる
。すなわち、排気ダクト１５の内底部から吸気孔１９を囲むように突設された環状の突設
部２０で排気ダクト１５内に回収されたインクの流出を抑制した状態で、排気ファン１７
を駆動させてミストを含む外気を排気ダクト１５内に吸引させる（ミスト回収ステップ）
。
【００４６】
次に、ステップＳ１３として、制御装置５０は、印刷指令に基づく印刷が終了したか否
かを判定する。そして、印刷が終了していない場合には、再度ステップＳ１３の判定を繰
り返す。
【００４７】
一方、ステップＳ１３において制御装置５０が印刷が終了したと判定すると、制御装置
５０はステップＳ１４に進み、液体噴射ヘッド１２がインクを噴射しているときよりも回
転数を上げて排気ファン１７を駆動させる。すなわち、インクの噴射が終了したときに、
インクの噴射時よりも回転数を上げて排気ファン１７を駆動させ、強い吸引力で吸気部１
６に付着したインクの液滴を排気ダクト１５内に回収させる（液体回収ステップ）。
【００４８】
次に、ステップＳ１５として、制御装置５０はタイマー５５による計時を開始する。
続いて、ステップＳ１６として、制御装置５０はタイマー５５による計時時間Ｔが閾値
Ｔａを超えたか否かを判定する。そして、計時時間Ｔが閾値Ｔａ以下であった場合には、
再度ステップＳ１６の判定を繰り返す。
【００４９】
一方、タイマー５５による計時時間Ｔが閾値Ｔａを超えると、制御装置５０はステップ
Ｓ１７に進み、排気ファン１７の駆動を停止させて（停止ステップ）、処理を終了する。
なお、閾値Ｔａは、吸気孔１９に付着しているインクを排気ダクト１５内に回収するため
の時間として予め実験等に基づいて規定し、ＲＯＭ５３に記憶させておくことができる。
【００５０】
以上説明した実施形態によれば、以下のような効果を得ることができる。
（１）インクの噴射に伴って生じたミストを、吸気部１６を介して排気ダクト１５内に
回収することができる。このとき、吸気部１６に形成された吸気孔１９は上下方向に延び
る態様となっているので、排気ダクト１５内に吸引される気体の流れを乱したり妨げたり
することがない。すなわち、吸気孔１９が屈曲していたり吸気部１６に段差があったりす
ると、そこにミストがぶつかって液滴が付着してしまう。特に、空間中に拡散したミスト
ではなく、延設された吸気部１６で噴射によって生じたばかりの濃いミストを吸引する場
合には、屈曲部などに液滴が付着しやすい。その点、吸気孔１９内で気流Ｆｉの流れを乱
さないようにすることで、液だれを招く液滴の付着を抑制することができる。
【００５１】
（２）排気ダクト１５は、吸気部１６を通じて外気と連通するが、その吸気部１６の上
端部が排気ダクト１５の内底部から環状に突設されているので、排気ダクト１５内に回収
されたインクは、吸気部１６の上端部によって排気ダクト１５内からたれ落ちないように
せき止められる。これにより、回収したインクを排気ダクト１５の内底部に集積して容易
に排出することができるとともに、排気ダクト１５からの液だれを抑制することができる
。
【００５２】
（３）吸気部１６に形成される吸気孔１９は開口面積が下端側から上端側に向けて小さ
くなるテーパ形状をなすので、吸気孔１９内を流れる気流Ｆｉの風速は、下端側から上端
側にいくにつれて速くなる。そして、吸気部１６に付着した液滴は、気流Ｆｉによって上
方に押し上げられる過程で合体して大きくなるが、上端側ほど風速が速いので、大きくな
った液滴を落下させることなく排気ダクト１５内に回収することができる。
【００５３】
（４）吸気部１６に撥液処理が施されているので、付着したインクの移動を促し、効率
よく排気ダクト１５内に回収することができる。
（５）吸気部１６は排気ダクト１５の底部から下方に延設されるが、排気ファン１７は
排気ダクト１５の水平方向（排気方向Ｙ）における一端側に設けられるので、吸気部１６
を通じて排気ダクト１５内に回収されたミストは水平方向（排気方向Ｙ）に運ばれる。そ
して、吸気部１６のＺ軸方向における長さは、排気ダクト１５の排気方向Ｙにおける長さ
よりも短くなっているので、液だれを抑制することができる。
【００５４】
（６）インクの噴射時よりも回転数を上げて排気ファン１７を駆動させることで、吸気
部１６に付着したインクを排気ダクト１５内に回収することができる。これにより、排気
ファン１７の駆動が停止されている間の液だれを抑制することができる。一方、インクの
噴射時には、インクがたれ落ちない程度に排気ファン１７の回転数を低く抑えておくこと
で、インクの飛翔方向の乱れを抑制することができる。
【００５５】
（７）インクの噴射に伴って生じたミストを、ミスト回収装置１３によって回収するこ
とができる。そして、ミスト回収装置１３において排気ダクト１５からの液だれを抑制す
ることで、たれ落ちたインクによる用紙Ｐの汚染を抑制することができる。
【００５６】
（８）用紙Ｐは搬送方向Ｘに沿って搬送されるので、用紙Ｐの搬送に伴って搬送方向Ｘ
が流れ方向となる気流Ｆｍが生じる。また、液体噴射ヘッド１２は用紙Ｐの搬送経路の上
方に配置されるので、インクの噴射に伴って生じたミストは気流Ｆｍにのって搬送方向Ｘ
の下流側に運ばれる。そして、排気ダクト１５は液体噴射ヘッド１２の搬送方向Ｘにおけ
る下流側に配置されるので、気流Ｆｍにのって搬送方向Ｘに流れるミストを効率よく回収
することができる。
【００５７】
（９）吸気部１６をノズル１４の近傍まで延設すると噴射されたインクの飛翔方向を乱
してしまう虞があるが、吸気部１６は用紙Ｐ側に向けて延設されているので、インクの飛
翔方向を乱すことなくミストを回収することができる。
【００５８】
（１０）吸気部１６の下端部は、搬送方向Ｘにおける下流側が用紙Ｐに近接する位置ま
で延設されているので、延設された部分で気流Ｆｍの流れ方向を変化させ、気流Ｆｍに含
まれるミストを、吸気部１６を通じて排気ダクト１５内に効率よく回収することができる
。
【００５９】
（１１）インクの噴射時には、排気ファン１７の駆動によってインクの噴射に伴って生
じたミストを吸引することができる。また、インクの噴射が終了したときに、インクの噴
射時よりも回転数を上げて排気ファン１７を駆動させるので、吸気部１６に付着したイン
クの液滴を排気ダクト１５内に回収することができる。したがって、ミストが発生するイ
ンクの噴射時だけでなく、インクの噴射及び吸引を停止した後にも、排気ダクト１５から
の液だれを抑制することができる。
【００６０】
なお、上記実施形態は以下のように変更してもよい。
・液体噴射ヘッド１２は、重力方向Ｚと一致する真下にインクを噴射するものに限らず
、例えば傾斜しつつ搬送される用紙Ｐに向けて斜め下方向にインクを噴射するようにして
もよい。また、各図中において、搬送方向Ｘ、排気方向Ｙ及び重力方向Ｚは互いに直交す
る態様で図示されているが、各方向の交差角度は９０度でなくてもよい。
【００６１】
・用紙Ｐの搬送経路は正面視直線状でなくてもよく、例えば円筒状の支持部材に用紙Ｐ
を巻き掛けつつ搬送するようにしてもよい。
・吸気部１６を円筒形状にしてもよいし、吸気部１６の下端部が用紙Ｐ又は用紙Ｐの搬
送経路と平行をなすようにしてもよい。また、撥液処理を施さない吸気部１６としてもよ
い。
【００６２】
・排気ダクト１５は水平方向に延設された状態で、例えばＸ軸方向などに屈曲させても
よい。
・吸気部１６は、排気ダクト１５と一体的に成形してもよいし、排気ダクト１５の内底
部から上方に突設する突設部２０と、排気ダクト１５から下方に延びる部分とを、それぞ
れ別個の部材から構成してもよい。
【００６３】
・排気ダクトが循環流路の一部を構成している場合などには、排気ファン１７に代えて
、気体を流動させるためのファンを設ければよい。また、排気ファン１７を備えず、排気
ダクトが連通する空間内との圧力差でミストを排気ダクト内に吸引するようにしてもよい
。
【００６４】
・ミスト回収装置１３を液体噴射ヘッド１２の搬送方向Ｘにおける上流側やＹ軸方向に
おける両側に配置してもよい。
・排気ファン１７の制御は、制御装置５０によって自動的に行わず、手動で行ってもよ
い。
【００６５】
・媒体は、用紙に限らず、プラスチックフィルムやシール、金属箔、板、布など、液体
を受容可能な任意の素材及び形状のものに変更することができる。
・プリンターはラインヘッド式プリンターに限らない。例えば、媒体の搬送方向Ｘと交
差する走査方向（用紙Ｐの幅方向となるＹ軸方向）に沿って往復移動するキャリッジと、
該キャリッジに支持された液体噴射ヘッドとを備えたシリアル式プリンターとしてもよい
。そして、シリアル式プリンターでは、キャリッジの搬送方向Ｘにおける下流側に、Ｙ軸
方向に延びる排気ダクト及び吸気部を有するミスト回収装置を配置することで、効率よく
ミストを回収することができる。あるいは、液体噴射ヘッドの走査方向における一方又は
両方に吸気部を配置してもよい。この場合には、可撓性を有する管路によって排気ダクト
を構成すれば、排気ファン等をキャリッジに搭載しなくてもよい。
【００６６】
・上記各実施形態では、液体噴射装置をインクジェット式プリンターに具体化したが、
インク以外の他の液体を噴射したり吐出したりする液体噴射装置を採用してもよく、微小
量の液滴を吐出させる液体噴射ヘッド等を備える各種の液体噴射装置に流用可能である。
なお、液滴とは、上記液体噴射装置から吐出される液体の状態をいい、粒状、涙状、糸状
に尾を引くものも含むものとする。また、ここでいう液体とは、液体噴射装置が噴射させ
ることができるような材料であればよい。例えば、物質が液相であるときの状態のもので
あればよく、粘性の高い又は低い液状態、ゾル、ゲル水、その他の無機溶剤、有機溶剤、
溶液、液状樹脂、液状金属（金属融液）のような流状態、また物質の一状態としての液体
のみならず、顔料や金属粒子などの固形物からなる機能材料の粒子が溶媒に溶解、分散又
は混合されたものなどを含む。また、液体の代表的な例としては上記実施形態で説明した
ようなインクや液晶等が挙げられる。ここで、インクとは一般的な水性インク及び油性イ
ンク並びにジェルインク、ホットメルトインク等の各種液体組成物を包含するものとする
。液体噴射装置の具体例としては、例えば液晶ディスプレイ、ＥＬ（エレクトロルミネッ
センス）ディスプレイ、面発光ディスプレイ、カラーフィルタの製造などに用いられる電
極材や色材などの材料を分散又は溶解のかたちで含む液体を噴射する液体噴射装置、バイ
オチップ製造に用いられる生体有機物を噴射する液体噴射装置、精密ピペットとして用い
られ試料となる液体を噴射する液体噴射装置、捺染装置やマイクロディスペンサ等であっ
てもよい。さらに、時計やカメラ等の精密機械にピンポイントで潤滑油を噴射する液体噴
射装置、光通信素子等に用いられる微小半球レンズ（光学レンズ）などを形成するために
紫外線硬化樹脂等の透明樹脂液を基板上に噴射する液体噴射装置、基板などをエッチング
するために酸又はアルカリ等のエッチング液を噴射する液体噴射装置を採用してもよい。
【符号の説明】
【００６７】
１１…液体噴射装置としてのプリンター、１２…液体噴射ヘッド、１３…ミスト回収装
置、１４…ノズル、１５…排気ダクト、１６…吸気部、１７…排気ファン、１９…吸気孔
、２０…突設部、５０…制御手段としての制御装置、Ｐ…媒体としての用紙、Ｘ…搬送方
向。
【図１】
0005445362.tif 000002
【図２】
0005445362.tif 000003
【図３】
0005445362.tif 000004
【図４】
0005445362.tif 000005